Podtech/llm-jp-corpus-v4-ja_patent huggingface dataset:
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
演算処理をするプロセッサと、前記プロセッサに接続された記憶装置とを備え、立体地図の表示情報を出力する表示システムであって、
前記記憶装置は、座標によって予め定められた領域に区画されたベクトル立体地図データと、前記ベクトル立体地図データに貼り付けられる実景観写真テクスチャ画像とを記憶し、
前記プロセッサは、
前記ベクトル立体地図データに含まれる立体形状を構成する面毎に表示するか否かを判定し、
前記面毎の判定の結果を含む表示管理データを前記記憶装置に格納し、
前記記憶装置に格納された表示管理データを参照して、視線方向に向き合う面のみを表示すると判定し、視線方向に向き合わない面を非表示と判定することによって、表示されるデータ量を削減することを特徴とする立体地図表示システム。
【請求項２】
前記プロセッサは、
前記表示管理データに格納されている表示対象面の法線ベクトルと視線ベクトルとの内積を計算し、
前記計算された内積がゼロ又は正の値になる場合は、当該表示対象面は視線方向に向き合わないので、当該面を非表示と判定し、
前記計算された内積が負の値になる場合は、当該表示対象面は視線方向に向き合うので、当該面を表示すると判定し、
前記表示するか否かの判定結果に基づいて、前記表示管理データを更新し、
前記表示管理データを参照して表示される面を選択することを特徴とする請求項１に記載の立体地図表示システム。
【請求項３】
前記各領域には、視点からの距離によって複数の属性が設定されており、
前記プロセッサは、前記領域の属性に対応して、前記表示管理データを設定することを特徴とする請求項１に記載の立体地図表示システム。
【請求項４】
前記複数の領域の属性は、遠景を含み、
前記プロセッサは、
前記ベクトル立体地図データに含まれる領域が遠景である場合は、当該遠景領域に含まれる構造物の形状を簡略化し、
前記簡略化によって得られた形状を構成する面について表示するか否かを判定することを特徴とする請求項３に記載の立体地図表示システム。
【請求項５】
前記プロセッサは、
前記立体地図のスクロール中は、前記立体形状の面へ実景観写真テクスチャ画像を貼り付けず、
前記スクロールが停止したときに、前記立体形状の面へ実景観写真テクスチャ画像の貼り付けることを特徴とする請求項１に記載の立体地図表示システム。
【請求項６】
前記プロセッサは、
視点から見て前記視線方向と逆方向に存在する領域を背後領域と判定し、
前記背後領域と判定された領域に含まれる立体地図データを非表示と判定することを特徴とする請求項１に記載の立体地図表示システム。
【請求項７】
前記記憶装置は、前記表示面を表示するか否かの判定結果を含む表示管理データと、前記立体形状のデータを含むディスプレイリストと、を格納し、
前記表示管理データは、さらに、各表示面の表示方法、及び各表示面の法線の情報を含むことを特徴とする請求項１に記載の立体地図表示システム。
【請求項８】
演算処理をするプロセッサと、前記プロセッサに接続された記憶装置とを備えた計算機において立体地図を表示する表示方法であって、
前記記憶装置は、座標によって予め定められた領域に区画されたベクトル立体地図データと、前記ベクトル立体地図データに貼り付けられる実景観写真テクスチャ画像とを記憶し、
前記方法は、
前記ベクトル立体地図データに含まれる立体形状を構成する面毎に表示するか否かを判定し、
前記面毎の判定の結果を含む表示管理データを前記記憶装置に格納し、
前記記憶装置に格納された表示管理データを参照して、視線方向に向き合う面のみを表示すると判定し、視線方向に向き合わない面を非表示と判定することによって、表示されるデータ量を削減することを特徴とする立体地図の表示方法。
【請求項９】
演算処理をするプロセッサと、前記プロセッサに接続された記憶装置とを備えた計算機に立体地図を表示させるプログラムであって、
前記記憶装置は、座標によって予め定められた領域に区画されたベクトル立体地図データと、前記ベクトル立体地図データに貼り付けられる実景観写真テクスチャ画像とを記憶し、
前記プログラムは、
前記ベクトル立体地図データに含まれる立体形状を構成する面毎に表示するか否かを判定する手順と、
前記面毎の判定の結果を含む表示管理データを、前記記憶装置に格納する手順と、
前記記憶装置に格納された表示管理データを参照して、視線方向に向き合う面のみを表示すると判定し、視線方向に向き合わない面を非表示と判定する手順と、を計算機に実行させることによって、表示されるデータ量を削減するプログラム。
【請求項１０】
前記表示管理データに格納されている表示対象面の法線ベクトルと前記視線ベクトルとの内積を計算する手順と、
前記計算された内積がゼロ又は正の値になる場合は、当該表示対象面は視線方向に向き合わないので、当該面を非表示と判定する手順と、
前記計算された内積が負の値になる場合は、当該表示対象面は視線方向に向き合うので、当該面を表示すると判定する手順と、
前記表示するか否かの判定結果に基づいて、前記表示管理データを更新する手順と、
前記表示管理データを参照して表示される面を選択する手順とを、さらに計算機に実行させる請求項９に記載のプログラム。
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
検体中に含まれる被測定成分を測定する際に使用されるカートリッジであって、当該カートリッジは、少なくとも所定量の検体を所望の倍率に希釈する希釈ウエル、および、検体中の被測定成分とこれと特異的に反応する物質とを反応させる反応ウエルを有してなり、画一的操作により前記希釈ウエルに所定量の検体を分注したときに、被測定成分により選択される所望の倍率に所定量の検体を希釈する量の希釈液が前記希釈ウエルに充填されていることを特徴とするカートリッジ。
【請求項２】
希釈ウエルおよび反応ウエルを含むウエル群が２ライン以上並設されてなる請求項１に記載のカートリッジ。
【請求項３】
さらに、測定に必要な試薬が収納されている試薬収納ウエル、検体を分注する分注ウエル、反応生成物の洗浄を行うための洗浄ウエル、および／または反応生成物の測定を行うための測定ウエルを有する請求項１または２に記載のカートリッジ。
【請求項４】
検体中に含まれる被測定成分の測定に必要な試薬および／または溶液が充填された他のカートリッジを併用して測定を行う請求項１〜３のいずれかに記載のカートリッジ。
【請求項５】
検体中に含まれる被測定成分の測定に必要な試薬および／または溶液の全てが封入されている請求項１〜３のいずれかに記載のカートリッジ。
【請求項６】
被測定成分とこれと特異的に反応する物質との反応が、免疫学的反応である請求項１〜５のいずれかに記載のカートリッジ。
【請求項７】
免疫学的反応が、検体中の被測定成分とこれと免疫学的に特異的に反応する物質とを反応させて第１の免疫複合体を形成させ、第１の免疫複合体をこれと免疫学的に特異的に反応する標識体とを反応させて第２の免疫複合体を形成させる反応である、請求項６に記載のカートリッジ。
【請求項８】
請求項１〜７のいずれか１項に記載のカートリッジを収容するカートリッジ収容部、前記カートリッジ収容部に収容された前記カートリッジの前記希釈ウエルに前記所定量の検体を画一的操作により分注する分注部、ならびに、前記カートリッジ収容部に収容される前にカートリッジ上の反応生成物を測定する測定部を有してなる測定装置。
【請求項９】
前記分注部が、複数個の並設された吸引・吐出機構を備える、請求項８に記載の測定装置。
【請求項１０】
前記分注部がさらに試薬を画一操作により分注する、請求項８または９記載の測定装置。
【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
基板上に各色のカラーフィルタを備えたカラーフィルタ基板の製造方法において、
前記基板上に形成した隔壁形成層に対して、カラーフィルタを形成すべき領域に凹部を形成する凹部形成工程と、
前記凹部内を埋めるように所定色のカラーフィルタ材を前記基板上に配置するカラーフィルタ材配置工程と、
前記隔壁形成層の上面が露出するまで化学機械研磨を行なって前記凹部の外側にある前記カラーフィルタ材を除去する化学機械研磨工程と、
を行なうことにより、前記凹部内に所定色のカラーフィルタを形成するとともに、
前記凹部形成工程、前記カラーフィルタ材配置工程および前記化学機械研磨工程を複数回繰り返し、前記基板上に各色のカラーフィルタを配置することを特徴とするカラーフィルタ基板の製造方法。
【請求項２】
前記カラーフィルタ材配置工程では、前記カラーフィルタ材を前記基板の略全面に形成することを特徴とする請求項１に記載のカラーフィルタ基板の製造方法。
【請求項３】
前記凹部形成工程は、前記隔壁形成層の上層のカラーフィルタを形成すべき領域に開口部を有するレジストマスクを形成した状態で、前記隔壁形成層をエッチングすることを特徴とする請求項１又は２に記載のカラーフィルタ基板の製造方法。
【請求項４】
基板上に各色のカラーフィルタを備えたカラーフィルタ基板の製造方法において、
前記基板上に、前記カラーフィルタを形成すべき領域を区画する隔壁を形成する隔壁形成工程と、
前記隔壁で区画された領域を各々埋めるように各色のカラーフィルタ材を順次配置するカラーフィルタ材配置工程と、
前記隔壁の上面が露出するまで化学機械研磨を行なって当該隔壁の上面を覆う前記カラーフィルタ材を除去する化学機械研磨工程と、
を行なうことを特徴とするカラーフィルタ基板の製造方法。
【請求項５】
前記カラーフィルタ材料配置工程は、前記カラーフィルタ材を液滴吐出放で選択的に配置することを特徴とする請求項４に記載のカラーフィルタ基板の製造方法。
【請求項６】
請求項１乃至５の何れか一項に記載の方法により製造したことを特徴とするカラーフィルタ基板。
【請求項７】
請求項１乃至５の何れか一項に記載のカラーフィルタ基板の製造方法を含む電気光学装置の製造方法。
【手続補正２】
【補正対象書類名】明細書
【補正対象項目名】発明の名称
【補正方法】変更
【補正の内容】
【発明の名称】カラーフィルタ基板の製造方法、カラーフィルタ基板、電気光学装置の製造方法。
【手続補正３】
【補正対象書類名】明細書
【補正対象項目名】００１１
【補正方法】変更
【補正の内容】
【００１１】
本発明において、前記カラーフィルタ材配置工程では、前記カラーフィルタ材を前記基板の略全面に形成してもよい。
本発明において、前記凹部形成工程は、前記隔壁形成層の上層のカラーフィルタを形成すべき領域に開口部を有するレジストマスクを形成した状態で、前記隔壁形成層をエッチングすることを特徴とする。
【手続補正４】
【補正対象書類名】明細書
【補正対象項目名】００１３
【補正方法】変更
【補正の内容】
【００１３】
本発明では、隔壁で区画された領域内を埋めるようにカラーフィルタ材を基板上に配置した後、隔壁の上面が露出するまで化学機械研磨を行なって隔壁で区画された領域内にカラーフィルタ材を残すことによりカラーフィルタを形成する。このため、カラーフィルタの厚さは、隔壁で区画された領域の深さ（隔壁の高さ）に規定されるので、高い厚さ精度をもってカラーフィルタを形成することができる。また、カラーフィルタ材を形成した後、化学機械研磨を行なうため、表面が平坦である。従って、カラーフィルタの上層側に画素電極や画素スイッチング素子を形成することができるので、画素電極とともにカラーフィルタを素子基板の側に形成することができる。それ故、素子基板と対向基板とのアライメント精度の影響により、カラーフィルタと画素電極とがずれることがなく、画素ピッチが数μｍという超微細画素に対応することができる。
本発明において、前記カラーフィルタ材料配置工程は、前記カラーフィルタ材を液滴吐出放で選択的に配置することを特徴とする。
【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
基材と、該基材表面に反射防止膜とを有する光学部材であって、前記反射防止膜は少なくとも、表面に微細凹凸構造を有する酸化物層と、前記酸化物層の少なくとも表面に形成されたリン酸塩化合物層とを含むことを特徴とする光学部材。
【請求項２】
前記酸化物層は、アモルファス層と、該アモルファス層上に前記微細凹凸構造を形成する異方性の結晶性酸化物微粒子の層と、からなることを特徴とする請求項１記載の光学部材。
【請求項３】
前記微細凹凸構造の高さが０．１μｍ以上５μｍ以下であることを特徴とする請求項１または２記載の光学部材。
【請求項４】
前記酸化物層は、酸化アルミニウムからなることを特徴とする請求項１乃至３いずれか１項記載の光学部材。
【請求項５】
前記異方性の結晶性酸化物微粒子はベーマイトであることを特徴とする請求項２記載の光学部材。
【請求項６】
基材と該基材表面に反射防止膜を有する光学部材の製造方法であって、前記基材表面に酸化物層を形成する工程と、前記酸化物層の表面に微細凹凸構造を形成する工程と、前記微細凹凸構造が形成された酸化物層に水溶性リン酸系化合物を接触させる工程と、を有することを特徴とする光学部材の製造方法。
【請求項７】
前記水溶性リン酸系化合物の主成分が第１リン酸金属塩またはリン酸アミン塩であることを特徴とする請求項６記載の光学部材の製造方法。
【請求項８】
前記微細凹凸構造が形成された酸化物層に水溶性リン酸系化合物を接触させる工程は、前記水溶性リン酸系化合物を０．０１重量％以上３０重量％以下含有させた水系の分散液に、前記微細凹凸構造が形成された酸化物層を接触させることを特徴とする請求項６または７記載の光学部材の製造方法。
【請求項９】
前記酸化物層の表面に微細凹凸構造を形成する工程は、前記酸化物層を水と接触させ、異方性の結晶性酸化物粒子を形成することにより、前記微細凹凸構造を形成することを特徴とする請求項７記載の光学部材の製造方法。
【手続補正２】
【補正対象書類名】明細書
【補正対象項目名】０００６
【補正方法】変更
【補正の内容】
【０００６】
前記目的を達成するために、本発明の光学部材は、基材と、該基材表面に反射防止膜とを有する光学部材であって、前記反射防止膜は少なくとも、表面に微細凹凸構造を有する酸化物層と、前記酸化物層の少なくとも表面に形成されたリン酸塩化合物層とを含むことを特徴とする。
【手続補正３】
【補正対象書類名】明細書
【補正対象項目名】０００７
【補正方法】変更
【補正の内容】
【０００７】
また本発明の光学部材の製造方法は、基材と該基材表面に反射防止膜を有する光学部材の製造方法であって、前記基材表面に酸化物層を形成する工程と、前記酸化物層の表面に微細凹凸構造を形成する工程と、前記微細凹凸構造が形成された酸化物層に水溶性リン酸系化合物を接触させる工程と、を有することを特徴とする。
【手続補正書】
【提出日】平成21年1月26日(2009.1.26)
【手続補正１】
【補正対象書類名】特許請求の範囲
【補正対象項目名】全文
【補正方法】変更
【補正の内容】
【特許請求の範囲】
【請求項１】
画像表示領域及び該画像表示領域の外側において板状部材と第１の基板とが接着剤を介して貼り合わされたパネルと、
前記パネルを収容し、前記画像表示領域の外側に夫々配置された入射側枠部及び出射側枠部を有するケースとを備えた電気光学装置であって、
前記板状部材は、前記画像表示領域に形成された複数のマイクロレンズを有し、前記パネルの光入射側に配置されており、
前記出射側枠部の内周縁は、前記画像表示領域の外側において、前記入射側枠部の内周縁よりも内側に配置されており、
前記入射側枠部は、前記板状部材の光入射側の面と離間して対向配置されてなることを特徴とする電気光学装置。
【請求項２】
請求項１において、
前記第１の基板は、前記接着剤を介して前記板状部材の光出射側に接着されており、
前記入射側枠部は前記パネルの光入射側に配置され、前記出射側枠部は前記パネルの光出射側に配置されていることを特徴とする電気光学装置。
【請求項３】
請求項２において、前記パネルは、前記第１の基板と対向するように当該第１の基板と貼り合わされた第２の基板と、該第２の基板と前記第１の基板との間に挟持された液晶とを有し、
前記出射側枠部は、前記第２の基板に対して前記第１の基板とは反対側に配置されていることを特徴とする電気光学装置。
【請求項４】
請求項１ないし３のいずれかにおいて、前記接着剤は、光硬化性の接着剤であることを特徴とする電気光学装置。
【請求項５】
請求項１ないし４のいずれかにおいて、
前記パネルの前記画像表示領域の外側に形成された遮光膜は、前記第１の基板の前記板状部材と接着された面と反対側の面に形成され、
前記入射側枠部の内周縁は前記遮光膜の内周縁よりも外周側に配置されていることを特徴とする電気光学装置。
【請求項６】
請求項１ないし４のいずれかにおいて、前記入射側枠部は、前記画像表示領域の最も外周側に配置された前記マイクロレンズの端部よりも外周側に配置されていることを特徴とする電気光学装置。
【請求項７】
請求項１ないし６のいずれかに規定する電気光学装置を用いた投射型表示装置であって、光源と、該光源から出射された光を前記電気光学装置からなる光変調装置に導く導光系と、該光変調装置で変調された光を投射する投射系とを有することを特徴とする投射型表示装置。
【手続補正２】
【補正対象書類名】明細書
【補正対象項目名】０００９
【補正方法】変更
【補正の内容】
【０００９】
このような新たな知見に基づいて、本発明は、画像表示領域及び該画像表示領域の外側において板状部材と第１の基板とが接着剤を介して貼り合わされたパネルと、前記パネルを収容し、前記画像表示領域の外側に夫々配置された入射側枠部及び出射側枠部を有するケースとを備えた電気光学装置であって、前記板状部材は、前記画像表示領域に形成された複数のマイクロレンズを有し、前記パネルの光入射側に配置されており、前記出射側枠部の内周縁は、前記画像表示領域の外側において、前記入射側枠部の内周縁よりも内側に配置されており、前記入射側枠部は、前記板状部材の光入射側の面と離間して対向配置されてなることを特徴とする。
このような新たな知見に基づいて、本発明は、表示光による画像表示が行われる画像表示領域から該画像表示領域の外周縁を規定する額縁領域に至る接着領域で板状部材が接着剤により接着された第１の基板を備えるパネルと、当該パネルの光入射側に配置された入射側枠部とを有し、前記入射側枠部は、前記入射側枠部と前記パネルとの間から入り込んだ光が前記額縁領域の奥まで届く様に、前記パネルに対して所定の隙間を介して対向配置
されていることを特徴とする。
【手続補正３】
【補正対象書類名】明細書
【補正対象項目名】００１９
【補正方法】変更
【補正の内容】
【００１９】
本発明において、前記出射側枠部は、前記第１の基板側に対して所定の隙間を介して対向配置されている構成であってもよい。
本発明において、前記第１の基板は、前記接着剤を介して前記板状部材の光出射側に接着されており、前記入射側枠部は前記パネルの光入射側に配置され、前記出射側枠部は前記パネルの光出射側に配置されている構成であってもよい。
本発明において、前記パネルの前記画像表示領域の外側に形成された遮光膜は、前記第１の基板の前記板状部材と接着された面と反対側の面に形成され、前記入射側枠部の内周縁は前記遮光膜の内周縁よりも外周側に配置される構成であってもよい。
本発明において、前記入射側枠部は、前記画像表示領域の最も外周側に配置された前記マイクロレンズの端部よりも外周側に配置されている構成であってもよい。
【手続補正書】
【提出日】平成20年7月7日(2008.7.7)
【手続補正１】
【補正対象書類名】明細書
【補正対象項目名】００１１
【補正方法】変更
【補正の内容】
【００１１】
例えば、錠剤、散剤、顆粒剤等の経口用固形製剤の形態に成形するに際しては、担体として、例えば、乳糖、白糖、塩化ナトリウム、ブドウ糖、デンプン、炭酸カルシウム、カオリン、結晶セルロース、無水第二リン酸カルシウム及びアルギン酸等の賦形剤；単シロップ、ブドウ糖液、デンプン液、ゼラチン溶液、ポリビニルアルコール、ポリビニルエーテル、ポリビニルピロリドン、カルボキシメチルセルロース、セラック、メチルセルロース、エチルセルロース、アルギン酸ナトリウム、アラビアゴム、ヒドロキシプロピルメチルセルロース、ヒドロキシプロピルセルロース、コーンファイバー、水及びエタノール等の結合剤；アルギン酸、かんてん末、デンプン、架橋ポリビニルピロリドン、架橋カルボキシメチルセルロースナトリウム、カルボキシメチルセルロースカルシウム及びデンプングリコール酸ナトリウム等の崩壊剤；ステアリルアルコール、ステアリン酸、カカオバター及び水素添加油等の崩壊抑制剤；第４級アンモニウム塩及びラウリル硫酸ナトリウム等の吸収促進剤；デンプン、乳糖、カオリン、ベントナイト、無水ケイ酸、含水二酸化ケイ素、メタケイ酸アルミン酸マグネシウム及びコロイド状ケイ酸等の吸収剤；精製タルク、ステアリン酸塩、ポリエチレングリコール及びショ糖脂肪酸エステル等の滑沢剤等を使用できる。
カプセル剤は、上記で例示した各種の担体と混合し、硬質ゼラチンカプセル及び軟質カプセル等に充填して調製される。カプセル剤には、水、グリセリンや小麦胚芽油、サフラワー油等の油脂類等を含有してもよい。
液体、ペースト製剤は、水性又は油性の懸濁液、溶液、シロップ及びエリキシル剤であってもよく、これらは、水、アルコール類、含水アルコール、糖類、ハチミツ、プルーンエキス等の通常の添加剤を用いて常法に従い、調製される。
【手続補正書】
【提出日】平成21年10月19日(2009.10.19)
【手続補正１】
【補正対象書類名】明細書
【補正対象項目名】特許請求の範囲
【補正方法】変更
【補正の内容】
【特許請求の範囲】
【請求項１】 軌道に沿ってＸ線源を移動させる工程と、該移動するＸ線源から物体を通して彎曲した検出器に向かってＸ線コーン・ビームを投射する工程と、断層画像を形成するために、前記物体を通過した検出されたＸ線を表わす信号を加重し、フィルタ処理して逆投影する工程であって、前記逆投影が、Ｘ線コーン・ビーム形状についての補償を行ないながら３次元空間において実行される工程と、を有し、
加重し、フィルタ処理して逆投影する前記工程は、
【数１】
2001161678.tif 000001
のように書かれる再構成画像関数ｆ（ｖ）を決定する工程を含んでおり、
ここで、
【数２】
2001161678.tif 000002
は畳み込みを表しており、
Ｓは線源からアイソセンタまでの距離であり、ｖは円筒座標（ｒ，ψ，κ）でのボクセルであり、ξ′＝ξ′（ｖ，β）はｖの検出器への投影についてのｚ方向の高さであり、Ｌはボクセルから線源までの距離（３次元空間での）であり、ｇ（）はファン・ビーム再構成畳み込みカーネルを示しており、ｐ* は傾斜平面上で補間された後のデータであり、ＨＳＷ（）はハーフスキャン加重を示しており、γはファン角度であり、βは線源角度であり、αは水平面と前記傾斜平面との間の角度であり、Γは前記ファン・ビームの最大ファン角度である、
マルチスライス式計算機式断層撮影イメージング方法。
【請求項２】 検出されたＸ線を表わす信号を用いて逆投影する前記工程は、極座標再構成格子上に逆投影する工程を含んでいる請求項１に記載の方法。
【請求項３】 前記加重する工程は前記フィルタ処理する工程の前に実行され、前記フィルタ処理する工程は前記逆投影する工程の前に実行される請求項１または２に記載の方法。
【請求項４】 可動のＸ線源と彎曲した検出器とを備えたマルチスライス式計算機式断層撮影（ＣＴ）イメージング・システムであって、軌道に沿ってＸ線源を移動させ、該移動するＸ線源から物体を通して彎曲した検出器に向かってＸ線コーン・ビームを投射し、断層画像を形成するために、前記物体を通過した検出されたＸ線を表わす信号を加重し、フィルタ処理して逆投影するように構成されており、さらに、Ｘ線コーン・ビーム形状についての補償を行ないながら３次元空間において逆投影するように構成されており、
前記システムは、断層画像を形成するように、前記物体を通過した検出されたＸ線を表わす信号を加重し、フィルタ処理して逆投影するために、
【数３】
2001161678.tif 000003
のように書かれる再構成画像関数ｆ（ｖ）を決定するように構成されており、
ここで、
【数４】
2001161678.tif 000004
は畳み込みを表しており、
Ｓは線源からアイソセンタまでの距離であり、ｖは円筒座標（ｒ，ψ，κ）でのボクセルであり、ξ′＝ξ′（ｖ，β）はｖの検出器への投影についてのｚ方向の高さであり、Ｌはボクセルから線源までの距離（３次元空間での）であり、ｇ（）はファン・ビーム再構成畳み込みカーネルを示しており、ｐ* は傾斜平面上で補間された後のデータであり、ＨＳＷ（）はハーフスキャン加重を示しており、γはファン角度であり、βは線源角度であり、αは水平面と前記傾斜平面との間の角度であり、Γは前記ファン・ビームの最大ファン角度である、
マルチスライス式計算機式断層撮影イメージング・システム。
【請求項５】 前記システムは、検出されたＸ線を表わす信号を用いて逆投影するために、極座標再構成格子上に逆投影するように構成されている請求項４に記載のマルチスライス式計算機式断層撮影イメージング・システム。
【請求項６】 前記信号をフィルタ処理する前に前記信号に加重し、前記逆投影の前に前記信号をフィルタ処理するように構成されている請求項４に記載のマルチスライス式計算機式断層撮影イメージング・システム。
【請求項７】 前記システムは、軌道に沿って前記Ｘ線源を移動させるために、前記物体に対する螺旋軌道において前記Ｘ線源を移動させるように構成されている請求項４に記載のマルチスライス式計算機式断層撮影イメージング・システム。
【請求項８】 前記彎曲した検出器は円筒形検出器である請求項４に記載のマルチスライス式計算機式断層撮影イメージング・システム。
【手続補正書】
【提出日】平成21年11月4日(2009.11.4)
【手続補正１】
【補正対象書類名】明細書
【補正対象項目名】特許請求の範囲
【補正方法】変更
【補正の内容】
【特許請求の範囲】
【請求項１】
像担持体を有するプロセスカートリッジと、前記像担持体に形成された像が順次転写される中間転写体を有する中間転写体ユニットと、前記中間転写体に転写された像をシートに転写する転写部と、前記転写部に向けてシートを搬送する搬送ユニットと、を有し、前記中間転写体ユニットが着脱可能な画像形成装置において、
前記中間転写体ユニットを画像形成装置本体から引き出す動作に連動して前記搬送ユニットが所定位置から退避し、引き出し途中で前記所定位置に戻り、前記中間転写体ユニットを画像形成装置本体に装着する動作に連動して前記搬送ユニットが所定位置から退避し、装着途中で前記所定位置に戻るように構成したことを特徴とする画像形成装置。
【請求項２】
前記搬送ユニットは、前記中間転写体ユニットが前記搬送ユニットに当接することにより前記所定位置から退避し、前記中間転写体ユニットと前記搬送ユニットとが離れることにより前記所定位置に戻ることを特徴とする請求項１に記載の画像形成装置。
【請求項３】
前記搬送ユニットは、前記画像形成装置本体に対して回動支点を中心に回動可能に設けられ、該回動支点を中心とした回動により前記所定位置から退避し、該退避した位置から前記所定位置に戻る動作が行われることを特徴とする請求項１又は２に記載の画像形成装置。
【請求項４】
前記搬送ユニットは、付勢手段により前記退避した位置から前記所定位置に戻る方向に付勢され、画像形成装置本体に設けられたストッパーに突き当てられることにより前記所定位置に決めされることを特徴とする請求項３に記載の画像形成装置。
【請求項５】
前記搬送ユニットは、前記中間転写体ユニットを画像形成装置本体から引き出す動作又は前記中間転写体ユニットを画像形成装置本体に装着する動作で前記中間転写体ユニットが前記搬送ユニットに当接することにより、前記付勢手段に抗して回動されて前記所定位置から退避することを特徴とする請求項４に記載の画像形成装置。
【手続補正２】
【補正対象書類名】明細書
【補正対象項目名】０００６
【補正方法】変更
【補正の内容】
【０００６】
【発明が解決しようとする課題】
しかしながら、上記従来例では、中間転写ベルトユニット１０３を装置本体に着脱する際に、その通過領域にあるレジストユニット１０１を退避させる操作及び中間転写ベルトユニット１０３の挿入後にレジストユニット１０１を本来の位置に戻す操作をユーザーが行う必要があり、ユーザビリティーを複雑にしている問題があった。また、レジストユニット１０１を退避させずに中間転写ベルトユニット１０３を抜き差ししてしまい、中間転写ベルト１６０を傷つけてしまうという誤操作の問題があった。また、中間転写ベルトユニット１０３を挿入した後に、レジストユニット１０１を本来の位置に戻し忘れるという誤操作の問題があった。
【手続補正３】
【補正対象書類名】明細書
【補正対象項目名】０００８
【補正方法】変更
【補正の内容】
【０００８】
【課題を解決するための手段】
上記目的を達成するための本発明の代表的な構成は、像担持体を有するプロセスカートリッジと、前記像担持体に形成された像が順次転写される中間転写体を有する中間転写体ユニットと、前記中間転写体に転写された像をシートに転写する転写部と、前記転写部に向けてシートを搬送する搬送ユニットと、を有し、前記中間転写体ユニットが着脱可能な画像形成装置において、前記中間転写体ユニットを画像形成装置本体から引き出す動作に連動して前記搬送ユニットが所定位置から退避し、引き出し途中で前記所定位置に戻り、前記中間転写体ユニットを画像形成装置本体に装着する動作に連動して前記搬送ユニットが所定位置から退避し、装着途中で前記所定位置に戻るように構成したことを特徴とする。
【手続補正４】
【補正対象書類名】明細書
【補正対象項目名】０００９
【補正方法】変更
【補正の内容】
【０００９】
上記構成によれば、前記中間転写体ユニットを装置本体に対して着脱する際に、前記搬送ユニットを前記所定位置から退避させる操作及び退避した状態から前記所定位置に戻す操作が無くなり、ユーザビリティーが向上する。
【手続補正５】
【補正対象書類名】明細書
【補正対象項目名】００１４
【補正方法】変更
【補正の内容】
【００１４】
図１は、レジストユニット１、二次転写ユニット２、中間転写体ユニット３及びドア７０の模式図を示すものである。また、図２は、中間転写体ユニット３をドア７０側から見た模式図を示すものである。また、図３は、レジストユニット１をドア７０側から見た模式図（ローラ類、搬送下ガイド２１を除く）を示すものである。
【手続補正６】
【補正対象書類名】明細書
【補正対象項目名】００２４
【補正方法】変更
【補正の内容】
【００２４】
【発明の効果】
以上説明したように、本発明によれば、中間転写体ユニットを画像形成装置本体から取り出す動作又は装置本体に装着する動作に連動して搬送ユニットが所定位置から退避し、退避した状態から前記所定位置に戻る。そのため、中間転写体ユニットを装置本体に対して着脱する際に、搬送ユニットを所定位置から退避させる操作及び退避した状態から前記所定位置へ戻す操作が無くなり、ユーザビリティーを向上させることができる。
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
遊技球を貯留する球貯留タンクと、前記球貯留タンクに貯留された遊技球を遊技者に対して払い出す払出装置と、前記球貯留タンクから供給された遊技球を、整列させて前記払出装置に送出する球整流路とを有する遊技機であって、
前記球整流路には、水平方向に対して、前記球貯留タンクから供給された遊技球を前記払出装置側に誘導するための所定角度で傾斜する第１の面と、水平方向に対して、前記所定角度より大きな角度で傾斜する第２の面とが交互に複数配設され、
前記球整流路は、前記球貯留タンク側から前記払出装置側に近づくに従い、遊技球の進行方向における前記第１の面の長さが短くなるとともに、遊技球の前記第２の面の長さが長くなるよう構成されていることを特徴とする遊技機。
【請求項２】
前記球整流路に逆流防止部を設けたことを特徴とする請求項１に記載の遊技機。
【手続補正２】
【補正対象書類名】明細書
【補正対象項目名】０００５
【補正方法】変更
【補正の内容】
【０００５】
以上の問題点を解決するために、本発明の遊技機は、遊技球を貯留する球貯留タンクと、前記球貯留タンクに貯留された遊技球を遊技者に対して払い出す払出装置と、前記球貯留タンクから供給された遊技球を、整列させて前記払出装置に送出する球整流路とを有する遊技機であって、前記球整流路には、水平方向に対して、前記球貯留タンクから供給された遊技球を前記払出装置側に誘導するための所定角度で傾斜する第１の面と、水平方向に対して、前記所定角度より大きな角度で傾斜する第２の面とが交互に複数配設され、前記球整流路は、前記球貯留タンク側から前記払出装置側に近づくに従い、遊技球の進行方向における前記第１の面の長さが短くなるとともに、遊技球の前記第２の面の長さが長くなるよう構成されていることを特徴とするものである。
【手続補正３】
【補正対象書類名】明細書
【補正対象項目名】０００８
【補正方法】変更
【補正の内容】
【０００８】
また、球整流路内において、払出装置に近づくにつれて、遊技球が払出装置側に導かれる力が大きくなるので、払出装置に近い側での球整流路内での圧力の均一化を一層図ることができ、局所的な球詰まりの発生を一層回避することができる。そして、球整流路内において、払出装置に近い側で、球詰まりの発生がないので、球貯留タンクに近い側での球整流路内での圧力の均一化も一層図ることができ、局所的な球詰まりの発生を一層回避することができる。従って、球整流路全体として、球貯留タンクから送られてきた遊技球にかかる圧力の均一化を一層図ることができ、局所的な球詰まりの発生を一層回避することができる。
【手続補正４】
【補正対象書類名】明細書
【補正対象項目名】０００９
【補正方法】変更
【補正の内容】
【０００９】
また、上記発明においては、前記球整流路に逆流防止部を設けていることが好ましい。
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
遊技部材と、少なくとも一部が透明な部材で形成された遊技盤ベースとを備える遊技盤と、前記遊技盤が正面から見て前面側から取り付けられる本体部と、前記遊技盤の裏面側に配置され、長方形の表示領域を備える表示装置とを有し、
前記本体部には、前記表示領域の長手方向を横方向にした場合の表示領域以上の大きさであって、かつ、前記長手方向を縦方向にした場合の表示領域以上の大きさの領域を有する開口部が設けられ、
前記本体部の裏面側であって、正面から見て前記表示領域が前記開口部から臨む位置に、前記表示装置を支持し、前記本体部に着脱可能に取り付けられる支持部を有する遊技機であって、
前記支持部は、前記表示装置の長手方向を横方向に配置した場合に当該表示装置を本体部に取り付けるための横方向支持部と、前記表示装置の長手方向を縦方向に配置した場合に当該表示装置を本体部に取り付けるための一対の縦方向支持部とからなることを特徴とする遊技機。
【請求項２】
前記支持部は、当該支持部の少なくとも一部が、正面から見て、前記開口部の領域のうち、前記表示領域と重ならない領域と重なるよう、前記本体部に取り付けられることを特徴とする請求項１に記載の遊技機。
【請求項３】
前記横方向支持部は、前記表示領域と重ならない領域より大きいことを特徴とする請求項１に記載の遊技機。
【請求項４】
前記本体部の裏面側に、遊技機を構成する部材である裏ユニット部を有し、前記支持部には、前記裏ユニット部を取り付けるための取り付け部が設けられていることを特徴とする請求項１乃至３いずれかに記載の遊技機。
【手続補正２】
【補正対象書類名】明細書
【補正対象項目名】０００６
【補正方法】変更
【補正の内容】
【０００６】
以上の問題点を解決するために、本発明の遊技機は、遊技部材と、少なくとも一部が透明な部材で形成された遊技盤ベースとを備える遊技盤と、前記遊技盤が正面から見て前面側から取り付けられる本体部と、前記遊技盤の裏面側に配置され、長方形の表示領域を備える表示装置とを有し、前記本体部には、前記表示領域の長手方向を横方向にした場合の表示領域以上の大きさであって、かつ、前記長手方向を縦方向にした場合の表示領域以上の大きさの領域を有する開口部が設けられ、前記本体部の裏面側であって、正面から見て前記表示領域が前記開口部から臨む位置に、前記表示装置を支持し、前記本体部に着脱可能に取り付けられる支持部を有する遊技機であって、前記支持部は、前記表示装置の長手方向を横方向に配置した場合に当該表示装置を本体部に取り付けるための横方向支持部と、前記表示装置の長手方向を縦方向に配置した場合に当該表示装置を本体部に取り付けるための一対の縦方向支持部とからなることを特徴とするものである。
【手続補正３】
【補正対象書類名】明細書
【補正対象項目名】００１２
【補正方法】変更
【補正の内容】
【００１２】
また、上記発明において、前記横方向支持部は、前記表示領域と重ならない領域より大きいことが好ましい。この場合、横方向支持部は、上記重ならない領域より大きいので、表示領域と重ならない開口部の存在による本体部の機械的強度の低下を補強することになり、本体部の機械的強度が低下してしまう事態を回避できる。
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
遊技領域内に配設され、可動部材の作動時に入賞可能となる可変入賞装置と、
遊技の進行状況に応じて発生する複数の事象をそれぞれ検出する事象検出手段と、
前記事象検出手段による検出結果を契機として所定の演出動作を実行する演出手段と、
前記複数の事象について個々に前記演出手段による演出動作の内容を設定し、かつ、個々の演出動作に優先順位および有効期間を付与する設定手段と、
遊技の進行に伴っていずれかの事象が発生し、この事象が前記事象検出手段により１次事象として検出された場合、この１次事象について前記設定手段により設定された内容にしたがって前記演出手段に演出動作を実行させる演出制御手段と、
前記演出制御手段は、前記演出手段が現在実行中にある演出動作の有効期間内に前記事象検出手段によって次の２次事象が検出された場合、この２次事象について前記設定手段により設定された演出動作の優先順位と、現在実行中にある演出動作の優先順位とを比較した結果に基づいて前記演出手段に実行させるべき演出動作を決定する
ことを特徴とする遊技機。
【請求項２】
請求項１記載の遊技機において、
前記演出制御手段は、前記２次事象について設定された演出動作の優先順位が前記１次事象について設定された演出動作の優先順位と同等以上である場合、前記２次事象について設定された演出動作の内容にしたがって前記演出手段に演出動作を実行させる
ことを特徴とする遊技機。
【請求項３】
請求項１もしくは請求項２記載の遊技機において、
前記設定手段は、各事象に対応して遊技者が特典を得られる可能性の大きさを基準として、前記演出動作の優先順位の高さを設定している
ことを特徴とする遊技機。
【請求項４】
請求項１もしくは請求項２記載の遊技機において、
前記設定手段は、各事象の発生を契機として遊技者に与えられる可能性のある特典の大小差に基づき、前記演出動作の優先順位に高低差を設定すること
ことを特徴とする遊技機。
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
遊技盤を本体枠の前方から当該本体枠の開口部に装着する際に、当該装着動作に基づいて互いに係合することによって前記遊技盤側の電気接点と前記本体枠側の電気接点とを接続する一対のコネクタを備えた遊技機であって、
前記本体枠の裏面における開口部の下部周縁に、第１の制御基板を収容するとともに当該第１の制御基板を外部から視認可能な第１の制御基板ボックスを配置し、
前記遊技盤の裏面における下部領域に、第２の制御基板を収容するとともに当該第２の制御基板を外部から視認可能な第２の制御基板ボックスを配置し、
前記本体枠における前記開口部の下部周縁には前記本体枠側コネクタを配置し、当該本体枠側コネクタと前記第１の制御基板ボックスの端部に設けたコネクタ端子とを電気配線によって接続したことを特徴とする遊技機。
【請求項２】
前記本体枠側コネクタを遊技機裏面から見て左下に配置するとともに、前記第１の制御基板ボックスを、前記第２の制御基板ボックスの下縁部に対し所定の間隙を置いて配置し、前記本体枠側コネクタから延びる前記電気配線を前記間隙に通して前記第１の制御基板ボックスの上縁部へと導くように配置したことを特徴とする請求項１記載の遊技機。
【手続補正２】
【補正対象書類名】明細書
【補正対象項目名】０００５
【補正方法】変更
【補正の内容】
【０００５】
上記課題を達成するため、特許請求の範囲の請求項記載の発明が構成される。
請求項１に記載の発明によれば、遊技盤を本体枠の前方から当該本体枠の開口部に装着する際に、当該装着動作に基づいて係合することによって遊技盤側の電気接点と本体枠側の電気接点とを接続する一対のコネクタを備えた遊技機が構成される。なお遊技機としては、典型的にはパチンコ機やアレンジボール機等がこれに該当する。また「遊技盤を本体枠の前方から本体枠の開口部に装着する」態様としては、本体枠の一側縁下端部に設けた重量支持部に遊技盤を支持した状態で、当該遊技盤を概ね水平状に回動させて当該本体枠に前方から取付ける態様、本体枠の一側縁部に対し遊技盤の一側縁部を、凹部あるいは溝部とそれに嵌る凸部を介して係合した後、当該係合部を支点にして遊技盤を概ね水平状に回動させて当該本体枠に取付ける態様、本体枠の一側縁に設けた係合部材に遊技盤の一側縁部を係合させて本体枠に前方から取付ける態様等を好適に包含する。
本発明の遊技機においては、本体枠の裏面における開口部の下部周縁に、第１の制御基板を収容するとともに当該第１の制御基板を外部から視認可能な第１の制御基板ボックスを配置し、前記遊技盤の裏面における下部領域に、第２の制御基板を収容するとともに当該第２の制御基板を外部から視認可能な第２の制御基板ボックスを配置し、前記本体枠における前記開口部の下部周縁には前記本体枠側コネクタを配置し、前記本体枠側コネクタと前記第１の制御基板ボックスの端部に設けたコネクタ端子を電気配線によって接続した構成とされる。本発明における「外部から視認可能」とは、遊技盤を裏面側から見たときに、例えば、制御基板の不正防止のため、あるいは当該制御基板に関する各種データの確認のために照合端子の制御基板ボックス側端子への接続を容易に行いえるように、制御基板の全体を外部から視認できる態様をいう。また「第１および第２の制御基板ボックス」は、外部からの視認性を確保することが必要とされる制御基板、典型的にはゲーム構成を制御するための主制御基板を収容する主制御基板ボックスや球の払い出しを制御するための払出制御基板を収容する払出制御基板ボックスがこれに該当する。なお「電気配線」とは、電源供給用の電源線および情報入出力用の信号線のいずれをも包含する。
本発明においては、第１の制御基板ボックスを本体枠の裏面における開口部の下部周縁に配置し、第２の制御基板ボックスを遊技盤の下部領域に配置したことにより、それらは互いに近接した状態での配置となる。このため、制御基板に対する不正な改造あるいは交換といった不正を発見するための検査時において、それら両ボックスを一度に視認でき、視認性を向上させることができる。
また本体枠側コネクタは本体枠の開口部の下部周縁に配置したことにより、第１の制御基板ボックスに対して近接する。このため、本体枠側コネクタと第１の制御基板ボックスとの接続に用いられる電気配線を短くできる。電気配線は、本体枠側コネクタと第１の制御基板ボックスとを接続する際、第１の制御基板ボックスおよび第２の制御基板ボックスに被らないように配置することによって制御基板ボックスに関する外部からの視認性を確保できる。その結果、点検作業時において、第１および第２の制御基板につき、外部からの視認による、あるいは照合装置による不正のチェック等を容易に行うことが可能となり、制御基板に関する不正行為を抑止できる。なお「被らないように配置」とは、電気配線が第１制御基板ボックスおよび第２制御基板ボックスのいずれにも掛からない状態をいう。すなわち、制御基板の不正な改造あるいは交換を防止するという観点から、電気配線が第１制御基板ボックスおよび第２制御基板ボックスに被さらず、それらボックスの内部が外部からすっきり見える状態を指す。
また、請求項２に記載の発明によれば、請求項１に記載の遊技機において、本体枠側コネクタを遊技機裏面から見て左下に配置するとともに、第１の制御基板ボックスを、第２の制御基板ボックスの下縁部に対し所定の間隙を置いて配置し、本体枠側コネクタから延びる電気配線を間隙に通して第１の制御基板ボックスの上縁部へと導くように配置する構成としている。
請求項２に記載の発明によれば、第１の制御基板ボックスと第２の制御基板ボックスの間に形成した間隙を利用して、本体枠側コネクタと第１の制御基板ボックスとを電気配線によって、第１の制御基板ボックスの周囲を迂回することなく、接続することができる。これにより、第１および第２の制御基板ボックスの視認性がより向上する。
【手続補正書】
【提出日】平成20年12月23日(2008.12.23)
【手続補正１】
【補正対象書類名】特許請求の範囲
【補正対象項目名】全文
【補正方法】変更
【補正の内容】
【特許請求の範囲】
【請求項１】
発射モータに取付けられた発射モータカムの連続回転により、槌が弾発回動して遊技球を打つ構成の遊技機において、前記発射モータの直上方に、該発射モータの上部を覆うべく庇状の屋根部材を取付けたことを特徴とする遊技機。
【請求項２】
前記屋根部材は、傾斜して設けられていることを特徴とする請求項１に記載の遊技機。
【請求項３】
前記屋根部材は、左右方向のほぼ中央部を頂点とする略山形状であり、発射モータの外形状にほぼ沿って設けられていることを特徴とする請求項１又は２に記載の遊技機。
【請求項４】
前記屋根部材は、発射モータが支持されるモータブラケットに一体にして設けられていることを特徴とする請求項１ないし３のいずれかに記載の遊技機。
【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
本体枠前面の一側部には、扉開閉用ヒンジ機構によってガラス扉が開閉可能に装着され、前記本体枠後面の他側部には、前記ガラス扉後面の自由端部に設けられた閉止具に係脱可能に係合して同ガラス扉を閉じ状態に施錠する扉施錠フックを有する施錠装置が配設された遊技機であって、
前記本体枠の他側部には、同本体枠の後側から前側に向けて前記扉施錠フックが挿通される挿通部が形成され、
前記ガラス扉を閉じ位置まで閉じたときには、前記閉止具が前記本体枠の挿通部内に進入しかつ前記扉施錠フックに係脱可能に係合するように前記挿通部の大きさが設定されていることを特徴とする遊技機。
【請求項２】
請求項１に記載の遊技機であって、
本体枠は、矩形の遊技盤が装着される開口部を有する遊技盤装着枠と、その周囲に張り出す前枠体と、を備え、
前記前枠体の後面でかつガラス扉の自由端部に対向する枠体部分に、施錠装置が配設されるとともに、その施錠装置の扉施錠フックが後側から前側に向けて挿通される挿通部が形成されていることを特徴とする遊技機。
【請求項３】
請求項２に記載の遊技機であって、
本体枠は、前枠体、遊技盤装着枠及び同遊技盤装着枠の後側に配置されかつ球タンク、タンクレール、球払出装置等が装着される機構装着体を一体に備えるととともに、合成樹脂材によって一体成形されていることを特徴とする遊技機。
【請求項４】
請求項１又は２に記載の遊技機であって、
ガラス扉の周縁部とこれに対向する本体枠の枠体部分のうち、少なくとも前記ガラス扉の自由端縁と、これに対向する前記本体枠の枠体部分には、前記ガラス扉が閉じられたときに相互に嵌合する上下方向に長尺の嵌合凹部と嵌合凸部とがそれぞれ設けられていることを特徴とする遊技機。
【請求項５】
請求項１〜４のいずれか一項に記載の遊技機であって、
閉止具は、ガラス扉の後面に固着される取付片と、その取付片から本体枠に配設された施錠装置の扉施錠フックに向けて略直角状に突設された側壁片と、その側壁片の先端から前記本体枠の前面に平行して横方向に延びかつ前記扉施錠フックに係脱可能に係合する係合片と、を一体に備え、
前記本体枠に対し扉開閉用ヒンジ機構を支点として前記ガラス扉が閉じ位置まで閉じられたときには、前記閉止具の側壁片及び係合片が前記本体枠の挿通部内に進入しかつその係合片が前記扉施錠フックの係止部に係脱可能に係合するように構成されていることを特徴とする遊技機。
【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
連続的スラブストック成形方法にてフォームを製造する方法であって、
ａ）フォーム生成混合物のフィード方向に対する横断方向について、フォームの実際の高さプロファイルを測定すること；
ｂ）所望のフォーム高さプロファイルからの実際のフォーム高さプロファイルの偏差に基づいて、スラブストック成形方法のための修正変数を決定すること；及び
ｃ）フォームの実際の高さプロファイルが所望のフォーム高さプロファイルと異なる場合に、少なくとも１つの処理パラメータを調節すること
を含んでなる方法。
【請求項２】
フォームがポリウレタンフォームである請求項１記載の方法。
【請求項３】
連続的スラブストック成形方法が、ヘンネケ−プラニブロック(Hennecke-Planibloc)法、ドラカ−ペツェタキス(Draka-Petzetakis)法、マックスフォーム(Maxfoam)法、ＵＢＴ装置を用いて行われる方法又はＱＦＭ装置を用いて行われる方法である請求項１記載の方法。
【請求項４】
フィード方向に駆動されるコンベヤベルトを有するコンベヤデバイスを使用する請求項１記載の方法。
【請求項５】
コンベヤデバイスがフォール・プレートを有する請求項１記載の方法。
【請求項６】
実際のフォーム高さプロファイルが、フィード方向に対する横断方向に配置された高さセンサによって検知される請求項１記載の方法。
【請求項７】
スラブストックフォームの上に載置されるカバーの重量が修正変数である請求項１記載の方法。
【請求項８】
発泡プロセスに対する側方ペーパー若しくはフィルムの角度及び速度、又は側方ペーパー若しくはフィルムの張力が修正変数である請求項１記載の方法。
【請求項９】
フォームの移送速度が修正変数である請求項１記載の方法。
【請求項１０】
単位時間あたりの、スラブストック成形方法に供給される材料の量が修正変数である請求項１記載の方法。
【請求項１１】
混合ヘッドの動き及び／又は適用方法が修正変数である請求項１記載の方法。
【請求項１２】
カバーペーパーと側方ペーパーとの間のギャップが修正変数である請求項１記載の方法。
【請求項１３】
連続的スラブストック成形方法におけるフォームを製造するためのプラントであって、
ａ）フォーム生成混合物のフィード方向に対する横断方向についてフォームの実際のフォーム高さを検知するためのフォーム高さ検出装置；及び
ｂ）所望する所定のフォーム高さからの実際のフォーム高さの偏差に基づいてスラブストック成形方法のための修正変数を決定する手段
を有してなるプラント。
【請求項１４】
ＵＢＴ装置又はＱＦＭ装置を更に有する請求項１３記載のプラント。
【請求項１５】
フィード方向に駆動させることができるコンベヤベルトを有するコンベヤデバイスを更に有する請求項１３記載のプラント。
【請求項１６】
フォール・プレートを更に有する請求項１３記載のプラント。
【請求項１７】
フォーム高さ検出装置がフィード方向に対する横断方向に配置された高さセンサを有する請求項１３記載のプラント。
【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
波長が６２０ｎｍ以下の光で記録可能な有機色素材料を用いた記憶媒体。
【請求項２】
有機色素材料を用いた記憶媒体に記録された情報を再生する方法であって、
６２０ｎｍ以下の光を前記記憶媒体に照射し、
この照射された前記光の反射光に基づいて前記情報を再生することを特徴とする再生方法。
【請求項３】
有機色素材料を用いた記憶媒体に情報を記録する方法であって、
６２０ｎｍ以下の光を前記記憶媒体に照射して前記情報を記録することを特徴とする記録方法。
【手続補正２】
【補正対象書類名】明細書
【補正対象項目名】０００７
【補正方法】変更
【補正の内容】
【０００７】
（１）本発明による記憶媒体は、波長が６２０ｎｍ以下の光で記録可能な有機色素材料を用いている。